(57)【特許請求の範囲】
【請求項１】
上端縁部外周に突条部６を突周設し、上面中央より上方付勢状態で押し下げ可能にステム７を突設させたエアゾール容器体２と、該容器体に嵌着固定したノズルキャップ３とからなり、該ノズルキャップは、容器体上端部に嵌着固定させるとともに、中央に立設した注出筒10内下部に上記ステム７を摺動可能に嵌合させた注出筒部材８と、該注出筒部材８に対して押し下げ及び回動が可能で且つ抜け出し不能に装着させるとともに、上記注出筒10外周に摺動可能に嵌合させた縦筒15を頂壁16裏面より垂設し、且つ、縦筒15上部に基端を開口して前方へノズル17を突出させた押し下げヘッド９とからなり、上記縦筒15内中央部に垂設した棒栓19の下端を注出筒10内上部に摺動可能且つステム７の押し下げを可能に嵌合させ、該棒栓19下端部に導入溝20を穿設するとともに、上記注出筒10内面上端に排出溝21を穿設し、導入溝20と排出溝21との連通状態でのみ注出可能に構成してなることを特徴とするエアゾール容器。
【請求項２】
上記導入溝20及び排出溝21のいずれか一方が、周方向離間して穿設したそれぞれ横幅の異なる複数の導入溝20又は排出溝21である請求項１記載のエアゾール容器。
【請求項３】
上記注出筒部材８外面及び押し下げヘッド９外面に、押し下げヘッドの回動によって位置合わせをする注出量調整目印22を設け、上記導入溝20及び排出溝21の非連通状態で、ヘッド９の押し下げを防止する押し下げ防止機構を設けてなる請求項１記載のエアゾール容器。
【発明の詳細な説明】
【０００１】
【発明の属する技術分野】
本発明はエアゾール容器に関する。
【０００２】
【従来の技術】
エアゾール容器として、胴部上端に上方付勢状態で押し下げ可能にステムを突設したエアゾール容器体と、下端開口を上記ステムに嵌着固定させるとともに、下端開口より前方注出口に至る通液路を内部に設けてなる筒状ヘッドとからなるものが極一般に知られている。
【０００３】
これらは、ヘッドを押し下げることによりステムが押し下げられ、その際容器体内部に設けた押し下げ開弁式の吐出弁が開いて、収納ガス圧により液がステム上端より通液路を介してヘッドの注出口より吐出される如く構成している。
【０００４】
【発明が解決しようとする課題】
これらの従来容器は、液の注出に当たり、その量が常時略一定であり、注出量を加減することが不可能であった。
そこで、本発明は、従来のこの種容器に若干の改良を加えて、簡単な操作で注出量を変えることができ、使用上すこぶる便利である容器を提案するものである。
【０００５】
また、構造が簡単で、安価に製造できる利点を兼ね備えた容器を提案するものである。
更に、注出量の切り換えを簡単且つ正確に行える利点を兼ね備えた容器を提案するものである。
【０００６】
【課題を解決するための手段】
本請求項１発明容器は上記課題を解決するため、上端縁部外周に突条部６を突周設し、上面中央より上方付勢状態で押し下げ可能にステム７を突設させたエアゾール容器体２と、該容器体に嵌着固定したノズルキャップ３とからなり、該ノズルキャップは、容器体上端部に嵌着固定させるとともに、中央に立設した注出筒10内下部に上記ステム７を摺動可能に嵌合させた注出筒部材８と、該注出筒部材８に対して押し下げ及び回動が可能で且つ抜け出し不能に装着させるとともに、上記注出筒10外周に摺動可能に嵌合させた縦筒15を頂壁16裏面より垂設し、且つ、縦筒15上部に基端を開口して前方へノズル17を突出させた押し下げヘッド９とからなり、上記縦筒15内中央部に垂設した棒栓19の下端を注出筒10内上部に摺動可能且つステム７の押し下げを可能に嵌合させ、該棒栓19下端部に導入溝20を穿設するとともに、上記注出筒10内面上端に排出溝21を穿設し、導入溝20と排出溝21との連通状態でのみ注出可能に構成してなることを特徴とするエアゾール容器として構成した。。
【０００７】
また、請求項２発明容器は、上記導入溝20及び排出溝21のいずれか一方が、周方向離間して穿設したそれぞれ横幅の異なる複数の導入溝20又は排出溝21である請求項１記載のエアゾール容器として構成した。
【０００８】
また、請求項３発明容器は、上記注出筒部材８外面及び押し下げヘッド９外面に、押し下げヘッドの回動によって位置合わせをする注出量調整目印22を設け、上記導入溝20及び排出溝21の非連通状態で、ヘッド９の押し下げを防止する押し下げ防止機構を設けてなる請求項１記載のエアゾール容器として構成した。
【０００９】
【発明の実施の形態】
以下、本発明の実施例の形態を図面を参照して説明する。
本発明容器１は、エアゾール容器体２と、ノズルキャップ３とから構成している。
【００１０】
エアゾール容器体２は、胴部４上端部外周をテーパ状に順次縮径した肩部５に形成するとともに、肩部５の上端外周に突条部６を突周設し、また、上面中央に上方付勢状態で押し込み可能にステム７を突設させ、該ステムを押し下げることにより内蔵吐出弁が開き、ガス圧で収納液をステム上端より吐出する如く構成した公知の吐出機構を有するものである。
ノズルキャップ３は合成樹脂により形成されたもので、注出筒部材８と、押し下げヘッド９とを備えている。
【００１１】
注出筒部材８は、容器体上端部に嵌着固定させるとともに、中央に立設した注出筒10内下部に上記ステム７を摺動可能に嵌合させている。
【００１２】
図示例では、上記突条部６外周に嵌合させた嵌合筒11上端縁より内方へ放射状に複数の連結リブ12を延設し、各リブ12内端縁に注出筒10の外周基端部を一体に連結している。また、嵌合筒11外面下部より外方へ周方向複数突設した連結リブ13を介して嵌合筒と二重筒状に、且つ嵌合筒11上方へ案内筒14を立設している。
【００１３】
押し下げヘッド９は、注出筒部材８に対して押し下げ及び回動が可能で且つ抜け出し不能に装着させるとともに、上記注出筒10外周に摺動可能に嵌合させた縦筒15を頂壁16裏面より垂設し、且つ縦筒15上部に基端を開口して前方へノズル17を突出させている。
【００１４】
図示例では、縦筒15を頂壁16裏面中央より垂設するとともに、頂壁16周縁部より垂設した周壁18下端縁部を上記案内筒14内周上端に押し下げ可能且つ回動可能に嵌合させている。周壁18の下部外周には小突条を周設して、該小突条を案内筒14内周上端に周設した小突条下面に係合させて上方への抜け出しを防止している。
【００１５】
また、押し下げヘッド９の縦筒15内中央部には棒栓19を垂設し、この棒栓19の下端を上記注出筒10内上部に摺動可能に嵌合させ、また、押し下げヘッド９を押し下げた際に、該棒栓19によりステム７を押し下げ可能に構成している。
本発明では、この棒栓19下端部に導入溝20を、また、上記注出筒10内面上端に排出溝21をそれぞれ穿設させている。
【００１６】
導入溝20は、棒栓19の外面及び下面をそれぞれ開放した縦長の凹溝で、その縦幅は押し下げヘッド９が最上昇位置にある時に注出筒10の上端より下方に位置する如く構成している。従って、注出筒10内面により導入溝20側面開口が閉塞されている状態では、注出筒10内と縦筒15内とが遮断される如く構成している。
【００１７】
【００１８】
また、排出溝21は、注出筒10の内面及び上面をそれぞれ開放した縦長の凹溝で、その縦幅は、押し下げヘッド９の最下降位置に於いて上記導入溝20の上端部と重複可能な縦幅を必要とし、ヘッド９が回動して各溝20，21が周方向離間状態とならない限り、棒栓の位置に係わらず、各溝が常時連通する如く構成している。
また、ノズルキャップ３には注出量調整用の目印22を設けても良い。
【００１９】
該目印22は、押し下げヘッド９外面の案内筒14上端縁と隣接する所定位置に、下向き三角径のドットａを印刷等適宜の塗布手段で設け、また、案内筒14外面上端縁に、導入溝20が排出溝21に対して全開する位置のドットｂ，導入溝20が排出溝21に対して半開する位置のドットｃ，導入溝20が排出溝21に対して非連通する位置のドットｄを設けており、ヘッド９のドットａを案内筒14の各ドットに位置合わせすることにより、液の注出量を変化させる如く構成している。
【００２０】
また、導入溝20及び排出溝21の非連通状態に於けるヘッドの押し下げ防止機構を設けても良い。例えば、嵌合筒11上面の所定位置に突部23を突設するとともに、押し下げヘッドの周壁18内面所定位置に係止リブ24を突設し、ヘッド９を回動させて上記ドットａをドットｄと一致させる（この際各導入溝20，排出溝21は非連通）と係止リブ24下面が突部23上面に当接係止されてヘッド９の押し下げが出来ないように構成している。
【００２１】
上記の如く構成した容器を使用するに当たっては、図５（a) に示す導入溝20及び排出溝21が完全に重複した図１の状態から押し下げヘッド９を押し下げると、棒栓19がステム７を押し下げ、容器体内蔵吐出弁が開弁して容器体内の液がステム７上端より導入溝20及び排出溝21を介して縦筒15内を通り、ノズル17より外部に排出される。この際の液の排出量は最大となる。ヘッド９の押圧を解除すると、ステム７の上方付勢力で棒栓19が押し上げられ元の状態に戻る。
【００２２】
また、図５（b) に示す排出溝21の半分位置に導入溝20が重複した図２の状態から同様に押し下げヘッドを押し下げると、排出液は導入溝20の狭い開口部分に規制されて、その排出量が少なくなる。
【００２３】
更に、図５（c) に示す導入溝20と排出溝21とが非連通状態では、ヘッド９を押し下げても液はステムから縦筒15内に移行せず、また、上記押し下げ防止機構が存在する場合にはヘッドの押し下げ自体が出来ない。
【００２４】
また、本発明に於いて、上記排出溝21を、注出筒10内面上端に周方向複数穿設したそれぞれ横幅の異なる複数の排出溝をとして構成することも可能である。
【００２５】
この場合は、例えば、図６に示す如く、注出筒10内面上端に横幅の異なる、大幅の排出溝21a 及び小幅の排出溝21b を同様の条件で設け、押し下げヘッド９を回動させて導入溝20を各排出溝に位置合わせすれば、それぞれ大量，少量の液の噴出が可能となる。
【００２６】
尚、上記実施例では、排出溝を２箇所設けた例を示しているが、排出溝の数は２箇所に限らず３箇所以上設けても良い。また、排出溝を複数設ける代わりに、排出溝を一箇所にして、導入溝を同様に複数設けることによっても、同様の作用を生じる。
【００２７】
【発明の効果】
以上説明した如く本発明容器は、既述構成としたことにより、押し下げヘッドを回動させるという極めて簡単な操作で注出量を変化させることができ、また、注出停止状態とすることも可能であるため、使用上極めて便利である。
【００２８】
また、従来のエアゾール容器体を使用することが出来、ノズルキャップも構造が簡単で合成樹脂により形成できるめた、容易且つ安価に製造できる利点を兼ね備えている。
【００２９】
また、請求項２発明の容器も同様に押し下げヘッドの回動により注出量を変化させることが出来るが、二種類以上の注出量で常時安定的に注出を行える利点を兼ね備えている。
【００３０】
また、横幅の異なる複数の溝を、間隔を開けて設けることが出来るため、導入溝及び排出溝の重複部分の幅で注出量を変化させる場合と比較して、位置合わせが容易である。
【００３１】
また、請求項３発明の容器では、注出量の切り換え及び容器の開閉等の切り換え操作が明瞭に且つ簡単に行えるとともに、非使用時には誤って液を漏出する等の不都合を防止できる効果を兼ね備えている。
【図面の簡単な説明】
【図１】  本発明の一実施例を示す要部縦断面図である。
【図２】  同実施例の注出量調整状態の要部縦断面図である。
【図３】  同実施例の非注出状態の要部縦断面図である。
【図４】  同実施例の要部側面図である。
【図５】  同実施例の注出筒部分の説明図である。
【図６】  本発明の他の実施例の注出筒部分の説明図である。
【符号の説明】
２…エアゾール容器体，３…ノズルキャップ，６…突条部，７…ステム，
８…注出筒部材，９…押し下げヘッド，10…注出筒，15…縦筒，16…頂壁，
17…ノズル，19…棒栓，20…導入溝，21…排出溝
【図１】
0003640715.tif 000002
【図２】
0003640715.tif 000003
【図３】
0003640715.tif 000004
【図４】
0003640715.tif 000005
【図５】
0003640715.tif 000006
【図６】
0003640715.tif 000007